(57)【要約】【課題】構成部品点数を大幅に低減して、低コスト化を図るとともに小型軽量化を可能にする。【解決手段】成型用金型１０のアンダーカット用スライドコア駆動装置において、前進端検知用リミットスイッチ１６２及び後退端検知用リミットスイッチ１６３の支持に要する支持機構を、取付基板１７１に設けた一本のスイッチ支持ロッド１７３と、このスイッチ支持ロッド１７３に、その軸回りに角度調整可能に、かつその長手方向に位置調整可能に設けられたスイッチ支持板１７４，１７５と、この各スイッチ支持板１７４，１７５をスイッチ支持ロッド１７３に固定する固定ねじ１７６，１７７とから構成する。【選択図】  図３
2004351854.tif 000002
【特許請求の範囲】
【請求項１】
固定型及び可動型の一方に移動可能に設けられたアンダーカット用のスライドコアとを有する成形用金型と、前記スライドコアを移動方向に往復動作させる流体圧シリンダと、前記流体圧シリンダのピストンロットの前進端位置を規制する前進端検知用リミットスイッチと、前記流体圧シリンダのピストンロットの後退端位置を規制する後退端検知用リミットスイッチと、前記両リミットスイッチをオン・オフ動作するように前記流体圧シリンダのピストンロットに設けられたドグとを備える成形用金型のアンダーカット用スライドコア駆動装置であって、
前記流体圧シリンダ及び前記両リミットスイッチを支持する支持機構を有し、
前記支持機構は、前記流体圧シリンダを前記スライドコアの後端に対向して配設された取付基板と、前記取付基板に前記流体圧シリンダのピストンロッドの進退方向と平行な方向に延在して設けられた一つのスイッチ支持ロッドと、前記スイッチ支持ロッドに前記前進端検知用リミットスイッチ及び前記後退端検知用リミットスイッチを別々に支持するとともに前記スイッチ支持ロッドの軸回りに角度調整可能に、かつ長手方向に位置調整可能に設けられた一対のスイッチ支持板とから構成されていることを特徴とする成形用金型のアンダーカット用スライドコア駆動装置。
【請求項２】
前記各スイッチ支持板は、前記スイッチ支持ロッドと直交するリミットスイッチ取付面を有し、このリミットスイッチ取付面にリミットスイッチが取り付けられるように構成されていることを特徴とする請求項１記載の成形用金型のアンダーカット用スライドコア駆動装置。
【請求項３】
前記各スイッチ支持板は、前記スイッチ支持ロッドに対して直角となる前記スイッチ支持板の少なくとも１つの側面箇所に前記スイッチ支持ロッドに達するように螺合された固定ねじを有し、この固定ねじにより前記スイッチ支持板を前記スイッチ支持ロッドに固定することを特徴とする請求項１または２記載の成形用金型のアンダーカット用スライドコア駆動装置。
【請求項４】
前記各スイッチ支持板の固定ねじは、該スイッチ支持板の下端面から前記スイッチ支持ロッドに対して直角となる方向に貫通螺合されていることを特徴とする請求項３記載の成形用金型のアンダーカット用スライドコア駆動装置。
【発明の詳細な説明】
【０００１】
【発明の属する技術分野】
本発明は、射出成形機などに使用される成形用金型のアンダーカット用スライドコア駆動装置に関し、特にスライドコアの前進後退用流体圧シリンダの位置制御に用いられるリミットスイッチ支持機構の改良に関するものである。
【０００２】
【従来の技術】
成形用の金型は、一般に固定型と可動型からなっている。このような金型を射出成形機に適用する場合は、固定型が射出ユニット側に取り付けられ、可動型が型締ユニット側に取り付けられるように構成されている。
また、このような金型において、成形品にアンダーカットがある場合は、アンダーカット用のスライドコアを固定型及び可動型の一方に移動可能に設け、このスライドコアの移動量が大きい時は、エアーまたは油圧等の流体圧シリンダを利用してスライドコアを駆動できるようにしている（例えば、特許文献１参照）。
【０００３】
【特許文献１】
特開２００１−１１３５６９
【０００４】
図１及び図２により従来における成形用金型のアンダーカット用スライドコア駆動装置について説明する。
図１において、成形用の金型１は固定型２と可動型３を備え、この固定型２と可動型３との合わせ面には樹脂製品Ａを成形するためのキャビティ４が形成されている。また、固定型２には、樹脂製品ＡにアンダーカットＡ１を形成するためのスライドコア５が矢印方向に移動可能に設けられている。また、スライドコア５の後端には、このスライドコア５を前進及び後退動作させる駆動機構６が配置され、この駆動機構６は支持機構７によって固定型２の射出ユニット側に支持される。
【０００５】
前記駆動機構６は、図１及び図２に示すように、流体圧シリンダ６１と、この流体圧シリンダ６１のピストンロット６１ａの前進端位置を規制する前進端検知用リミットスイッチ６２と、ピストンロット６１ａの後退端位置を規制する後退端検知用リミットスイッチ６３と、流体圧シリンダ６１のピストンロット６１ａに設けられ、リミットスイッチ６２及び６３をオン・オフ動作する円盤状のドグ６４とを備えている。
【０００６】
前記支持機構７は、図１及び図２に示すように、固定型２の射出ユニット側と平行に配置される鉛直な取付基板７１と、この取付基板７１の両端に一端が直角に結合され、他端が固定型２の射出ユニット側に結合される一対の支持板７２と、基板取付７１の下端にボルト７３により固定されたスイッチ支持部材７４と、このスイッチ支持部材７４に所望間隔離して水平にかつ平行に取り付けた一対のスイッチ支持ロッド７５，７６とを有している。
前記一方のスイッチ支持ロッド７５には前進端検知用リミットスイッチ６２が取付金具７７により取り付けられ、前記他方のスイッチ支持ロッド７６には後退端検知用リミットスイッチ６３が取付金具７８により取り付けられている。この取付金具７７及び７８はそれぞれのスイッチ支持ロッド７５，７６の軸回り方向に角度調整可能に、かつ長手方向に位置調整可能に支持され、さらに、締付ねじ７９および８０によってスイッチ支持ロッド７５，７６に固定されるようになっている。
【０００７】
前記取付基板７１の上縁部中央には、流体圧シリンダ６１のロッド側端部が係合される切り欠き部７１ａが形成され、この切り欠き部７１ａに流体圧シリンダ６１のロッド側端部を係合した状態でボルトなどにより締め付けることで、流体圧シリンダ６を取付基板７１に固定できるようになっている。また、流体圧シリンダ６１のピストンロット６１ａは切り欠き部７１ａからスライドコア５方向に延在して配置され、このピストンロット６１ａの先端とスライドコア５の後端との間は連結部材８１を介して連結されている。
【０００８】
【発明が解決しようとする課題】
しかし、このように従来の成形用金型のアンダーカット用スライドコア駆動装置に使用される支持機構７では、前進端検知用リミットスイッチ６２及び後退端検知用リミットスイッチ６３毎にスイッチ支持ロッド７５，７６と取付金具７７，７８及び締付ねじ７９，８０が必要であるとともにスイッチ支持部材７４とその取付ボルト７３が必要とするため、リミットスイッチの支持に要する機構の構成部品点数が多くなり、その結果、これら支持機構の組立て工数が多くなるとともに、これら構成部品の加工コストが上昇し、金型を高コスト化するという問題がある。
また、リミットスイッチの支持に要する機構の構成部品点数が多くなることにより、支持機構７を含む駆動装置が比較的大型化し、大きな収容スペースが必要になるほか、支持機構７のメンテナンスも複雑で、かつ煩雑になるという問題があった。
【０００９】
本発明は、上記のような従来の問題を解決するためになされたもので、構成部品点数を大幅に低減して、低コスト化を図るとともに小型軽量化を可能にした成形用金型におけるアンダーカット用スライドコアの駆動装置を提供することを目的とする。
【００１０】
【課題を解決するための手段】
前記目的を達成するために本発明の請求項１に記載の発明は、固定型及び可動型の一方に移動可能に設けられたアンダーカット用のスライドコアとを有する成形用金型と、前記スライドコアを移動方向に往復動作させる流体圧シリンダと、前記流体圧シリンダのピストンロットの前進端位置を規制する前進端検知用リミットスイッチと、前記流体圧シリンダのピストンロットの後退端位置を規制する後退端検知用リミットスイッチと、前記両リミットスイッチをオン・オフ動作するように前記流体圧シリンダのピストンロットに設けられたドグとを備える成形用金型のアンダーカット用スライドコア駆動装置であって、前記流体圧シリンダ及び前記両リミットスイッチを支持する支持機構を有し、前記支持機構は、前記流体圧シリンダを前記スライドコアの後端に対向して配設された取付基板と、前記取付基板に前記流体圧シリンダのピストンロッドの進退方向と平行な方向に延在して設けられた一つのスイッチ支持ロッドと、前記スイッチ支持ロッドに前記前進端検知用リミットスイッチ及び前記後退端検知用リミットスイッチを別々に支持するとともに前記スイッチ支持ロッドの軸回りに角度調整可能に、かつ長手方向に位置調整可能に設けられた一対のスイッチ支持板とから構成されていることを特徴とする。
【００１１】
請求項２の発明は、請求項１記載の成形用金型のアンダーカット用スライドコア駆動装置において、前記各スイッチ支持板は、前記スイッチ支持ロッドと直交するリミットスイッチ取付面を有し、このリミットスイッチ取付面にリミットスイッチが取り付けられるように構成されていることを特徴とする。
【００１２】
請求項３の発明は、請求項１または２記載の成形用金型のアンダーカット用スライドコア駆動装置において、前記各スイッチ支持板は、前記スイッチ支持ロッドに対して直角となる前記スイッチ支持板の少なくとも１つの側面箇所に前記スイッチ支持ロッドに達するように螺合された固定ねじを有し、この固定ねじにより前記スイッチ支持板を前記スイッチ支持ロッドに固定することを特徴とする。
請求項４の発明は、請求項３記載の成形用金型のアンダーカット用スライドコア駆動装置において、前記各スイッチ支持板の固定ねじは、該スイッチ支持板の下端面から前記スイッチ支持ロッドに対して直角となる方向に貫通螺合されていることを特徴とする。
【００１３】
【発明の実施の形態】
次に、本発明の実施の形態について、図面を参照して説明する。
図３は本発明にかかる成形用金型のアンダーカット用スライドコア駆動装置の第１の実施の形態を示す構成図、図４は図３の４−４線に沿う正面図、図５は図３に示すスイッチ支持板の正面図である。
【００１４】
図３において、成形用の金型１０は固定型１２と可動型１３を備え、この固定型１２と可動型１３との合わせ面には樹脂製品Ａを成形するためのキャビティ１４が形成され、さらに、固定型１２には、樹脂製品ＡにアンダーカットＡ１を形成するためのスライドコア１５が矢印方向に移動可能に設けられている。また、このスライドコア１５の後端には、スライドコア１５を前進及び後退動作させる駆動機構１６が配置され、この駆動機構１６は支持機構１７によって固定型１２の射出ユニット側に支持される。
【００１５】
前記駆動機構１６は、図３及び図４に示すように、流体圧シリンダ１６１と、この流体圧シリンダ１６１のピストンロット１６１ａの前進端位置を規制する前進端検知用リミットスイッチ１６２と、ピストンロット１６１ａの後退端位置を規制する後退端検知用リミットスイッチ１６３と、流体圧シリンダ１６１のピストンロット１６１ａに設けられ、リミットスイッチ１６２及び１６３をオン・オフ動作する円盤状のドグ１６４とを備えている。
【００１６】
前記支持機構１７は、図３及び図４に示すように、固定型１２の射出ユニット側と平行に配置された鉛直な取付基板１７１と、この取付基板１７１の両端に一端が直角に結合され、他端が固定型１２の射出ユニット側に結合される一対の支持板１７２と、基板取付１７１の下端側のほぼ中央箇所に、基板取付１７１から固定型１２方向へ延在するように流体圧シリンダ１６１のピストンロット１６１ａと平行に取り付けた一本のスイッチ支持ロッド１７３とを有している。
前記スイッチ支持ロッド１７３には、前進端検知用リミットスイッチ１６２を支持するスイッチ支持板１７４、及び後退端検知用リミットスイッチ１６３を支持するスイッチ支持板１７５がスイッチ支持ロッド１７３の軸回りに角度調整可能に、かつ長手方向に位置調整可能に設けられている。
【００１７】
前記各スイッチ支持板１７４，１７５は、スイッチ支持ロッド１７３と直交するリミットスイッチ取付面１７４ａ，１７５ａを有しており、このリミットスイッチ取付面１７４ａには前進端検知用リミットスイッチ１６２が、その長手方向がスイッチ支持ロッド１７３と直交するように、かつ、ピンプランジャー１６２ａがドグ１６４に当接されるようにして取り付けられ、また、リミットスイッチ取付面１７５ａには後退端検知用リミットスイッチ１６３が、その長手方向がスイッチ支持ロッド１７３と直交するように、かつ、ピンプランジャー１６３ａがドグ１６４に当接されるようにして取り付けられている。スイッチ支持ロッド１７３と直交するようにして前記スイッチ支持ロッドに取り付けられている。
【００１８】
前記スイッチ支持板１７４は、スイッチ支持ロッド１７３に対して直角となるスイッチ支持板１７４の上端面と側面の２箇所にスイッチ支持ロッド１７３に達するように螺合された一対の固定ねじ１７６を有し、この固定ねじ１７６によりスイッチ支持板１７４をスイッチ支持ロッド１７３に固定できるように構成されている。
また、前記スイッチ支持板１７５は、スイッチ支持ロッド１７３に対して直角となるスイッチ支持板１７５の上端面と側面の２箇所にスイッチ支持ロッド１７３に達するように螺合された一対の固定ねじ１７７を有し、この固定ねじ１７７によりスイッチ支持板１７５をスイッチ支持ロッド１７３に固定できるように構成されている。
【００１９】
前記取付基板１７１の上縁部中央には、流体圧シリンダ１６１のロッド側端部が係合される切り欠き部１７１ａが形成され、この切り欠き部１７１ａに流体圧シリンダ１６１のロッド側端部を係合した状態でボルトなどで締め付けることにより、流体圧シリンダ１６１を取付基板１７１に固定できるようになっている。
また、流体圧シリンダ１６１のピストンロット１６１ａは切り欠き部１７１ａからスライドコア１５方向に延在して配置され、このピストンロット１６１ａの先端とスライドコア１５の後端との間は連結部材１８を介して連結されている。
【００２０】
このような第１の本実施の形態に示すアンダーカット用スライドコア駆動装置を利用して、成形用金型１０によりアンダーカット付き製品を成形するに際しては、固定型１２と可動型１３とを図３に示すように合わされた状態で、アンダーカット用のスライドコア１５を前進して図３に示す位置にセットする。この時のスライドコア１５の前進は流体圧シリンダ１６１により行われる。
すなわち、流体圧シリンダ１６１が前進動作されることにより、そのピストンロッド１６１ａが図３の矢印Ｘ１方向に前進移動されると、これと一体のドグ１６４が前進されると同時にスライドコア１５も前進される。そして、ドグ１６４が前進端検知用リミットスイッチ１６２のピンプランジャー１６２ａに当接されると前進端検知用リミットスイッチ１６２がオンされ、このオン信号により流体圧シリンダ１６１の流体圧制御部（図示せず）を制御して、流体圧シリンダ１６１の前進動作を停止させる。
【００２１】
また、樹脂成形品を成形用金型１０から取り出すに際して、スライドコア１５を後退させる場合は、流体圧シリンダ１６１を後退動作させる。これにより、そのピストンロッド１６１ａは図３の矢印Ｘ２方向に後退移動されると同時に、これと一体のドグ１６４が後退されるとともにスライドコア１５も後退される。そして、ドグ１６４が後退端検知用リミットスイッチ１６３のピンプランジャー１６３ａに当接されると後退端検知用リミットスイッチ１６３がオンされ、このオン信号により流体圧シリンダ１６１の流体圧制御部（図示せず）を制御して、流体圧シリンダ１６１の後退動作を停止させる。
【００２２】
また、スライドコア１５の前進位置を調整する場合は、スイッチ支持板１７４の固定ねじ１７６を弛め、この状態で前進端検知用リミットスイッチ１６２を含むスイッチ支持板１７４をスイッチ支持ロッド１７３の長手方向に移動して、ドグ１６４と前進端検知用リミットスイッチ１６２のピンプランジャー１６２ａとの当接位置を調節する。これと同時に、スイッチ支持板１７４をスイッチ支持ロッド１７３の軸回りに角度調整することにより、スライドコア１５の前進位置を微細に調節することができる。
また、スライドコア１５の後退位置を調整する場合は、スイッチ支持板１７５の固定ねじ１７７を弛め、この状態で後退端検知用リミットスイッチ１６３を含むスイッチ支持板１７５をスイッチ支持ロッド１７３の長手方向に移動して、ドグ１６４と後退端検知用リミットスイッチ１６３のピンプランジャー１６３ａとの当接位置を調節する。これと同時に、スイッチ支持板１７５をスイッチ支持ロッド１７３の軸回りに角度調整することにより、スライドコア１５の後退位置を微細に調節することができる。
【００２３】
このような第１の本実施の形態に示すアンダーカット用スライドコア駆動装置によれば、前進端検知用リミットスイッチ１６２及び後退端検知用リミットスイッチ１６３の支持に要する支持機構を、取付基板１７１に設けた一本のスイッチ支持ロッド１７３と、このスイッチ支持ロッド１７３に、その軸回りに角度調整可能に、かつその長手方向に位置調整可能に設けられたスイッチ支持板１７４，１７５と、この各スイッチ支持板１７４，１７５をスイッチ支持ロッド１７３に固定する固定ねじ１７６，１７７とから構成するものであるため、その構成部品点数を従来方式に比して大幅に削減することができる。これに伴い、支持機構１７を含めたスライドコア駆動装置の低コスト化及び小型軽量化が可能になるとともに、リミットスイッチ配置スペースの空スペースが大きくなって、支持機構１７を含むスライドコア駆動機構の組立て，分解及びリミットスイッチの調整操作が容易になるとともに、そのメンテナンスが容易になるという利点がある。
【００２４】
次に、図６〜図８により本発明にかかる成形用金型のアンダーカット用スライドコア駆動装置の第２の実施の形態について説明する。
図６は本発明にかかる成形用金型のアンダーカット用スライドコア駆動装置の第２の実施の形態を示す構成図、図７は図６の７−７線に沿う正面図、図８は図６に示すスイッチ支持板の正面図である。
【００２５】
図６〜図８において、上記図３〜図５の同一の構成要素には同一符号を付してその構成説明を省略し、図３〜図５と異なる部分を重点に説明する。
この第２の実施の形態において、上記第１の実施の形態と異なる点は、各スイッチ支持板１７４及び１７５をそれぞれ１本の固定ねじ１７８，１７９によりスイッチ支持ロッド１７３に固定できるようにしたところにある。
すなわち、この第２の実施の形態においては、各スイッチ支持板１７４，１７５の固定ねじ１７８，１７９は、スイッチ支持板１７４，１７５の下端面からスイッチ支持ロッド１７３に対して直角となる方向に貫通するようにして螺合されている。
【００２６】
このような第２の実施の形態に示すアンダーカット用スライドコア駆動装置によれば、各スイッチ支持板１７４，１７５の固定ねじ１７８，１７９をスイッチ支持板１７４，１７５の下端面側から操作できるように構成したので、支持機構１７を含むスライドコア駆動機構の組立て，分解及びリミットスイッチの調整操作が更に容易になるほか、上記第１の実施の形態と同様な作用効果が得られる。
なお、上記実施例においてはスライドコア１５を固定型１２に設けた場合について説明したが、これに限らず可動型１３に設けるようにしても良い。
【００２７】
なお，本発明にかかるアンダーカット用スライドコア駆動装置の構成は、上記実施の形態に示す構成のものに限らず、請求項に記載した技術的範囲を逸脱しない範囲において種々に変更し変形することは勿論である。
【００２８】
【発明の効果】
上記説明したのように本発明の成形用金型におけるアンダーカット用スライドコアの駆動装置によれば、リミットスイッチ支持に要する支持機構は、取付基板に設けた一本のスイッチ支持ロッドと、このスイッチ支持ロッドに、その軸回りに角度調整可能に、かつその長手方向に位置調整可能に設けられたスイッチ支持板と、この各スイッチ支持板をスイッチ支持ロッドに固定する固定ねじとから構成されるから、その構成部品点数を従来方式に比して大幅に削減することができる。これに伴い、支持機構を含めたスライドコア駆動装置の低コスト化及び小型軽量化が可能になるとともに、リミットスイッチ配置スペースの空スペースが大きくなって、支持機構を含むスライドコア駆動機構の組立て，分解及びリミットスイッチの調整操作が容易になり、かつメンテナンスが容易にできる。
【図面の簡単な説明】
【図１】従来における成形用金型のアンダーカット用スライドコア駆動装置の構成図である。
【図２】図１の２−２線に沿う正面図である。
【図３】本発明にかかる成形用金型のアンダーカット用スライドコア駆動装置の第１の実施の形態を示す構成図である。
【図４】図３の４−４線に沿う正面図である。
【図５】図３に示すスイッチ支持板の正面図である。
【図６】本発明にかかる成形用金型のアンダーカット用スライドコア駆動装置の第２の実施の形態を示す構成図である。
【図７】図６の７−７線に沿う正面図である。
【図８】図６に示すスイッチ支持板の正面図である。
【符号の説明】
１０      金型
１２      固定型
１３      可動型
１４      キャビティ
１５      スライドコア
１６      駆動機構
１６１    流体圧シリンダ
１６ａ    ピストンロッド
１６２    前進端検知用リミットスイッチ
１６３    後退端検知用リミットスイッチ
１６４    ドグ
１７      支持機構
１７１    取付基板
１７２    支持板
１７３    スイッチ支持ロッド
１７４，１７５      スイッチ支持板
１７４ａ，１７５ａ  リミットスイッチ取付面
１７６，１７７      固定ねじ
１７８，１７９      固定ねじ
【図１】
2004351854.tif 000003
【図２】
2004351854.tif 000004
【図３】
2004351854.tif 000005
【図４】
2004351854.tif 000006
【図５】
2004351854.tif 000007
【図６】
2004351854.tif 000008
【図７】
2004351854.tif 000009
【図８】
2004351854.tif 000010